【事件の表示】
　特許第２９３００５４号「テープ印字装置」の請求項１ないし２に係る特許に対する特許異議の申立てについて、次のとおり決定する。
【結　論】
　訂正を認める。
　特許第２９３００５４号の請求項１ないし２に係る特許を維持する。
【理　由】
［手続の経緯］
　本件特許第２９３００５４号の請求項１，２に係る発明の出願は、特許法第４１条に基づく国内優先権主張を伴う平成３年５月１６日（優先日：平成２年５月１７日，優先権主張番号：特願平２−１２７４２６号）に出願した特願平３−１１０６７５号の一部を平成９年５月１６日に新たな特許出願としたものであって、平成１１年５月２１日にその特許の設定登録がなされ、その後、その特許について中嶋亜梨紗より特許異議の申立がなされ、当審において取消理由の通知がなされたところ、その指定期間内である平成１２年９月１８日に訂正請求がなされたものである。
　　　　　
　　　　　
［訂正の適否についての判断］
【１】訂正の内容
〔１〕訂正事項ａ
　特許請求の範囲の請求項１を、「【請求項１】テープカセットに収納して装着されたテープ状の印字媒体に印字を行う印字ヘッドを備え、前記印字媒体に、前記印字媒体と共に前記テープカセットに収納して装着されたインクリボンを介して印字するテープ印字装置において、回転駆動源としてのモーターと、前記印字媒体を移送する送りローラと、前記インクリボンを移送するリボン巻き取り軸と、前記モーターの出力軸歯車から送りローラに回転力を伝達する第１の回転力伝達系と、前記出力軸歯車からリボン巻き取り軸に回転力を伝達する第２の回転力伝達系と、前記出力軸歯車から第１及び第２の回転力伝達系に共通に回転力を伝達すると共に前記第１の回転力伝達系から前記第２の回転力伝達系に回転力を伝達可能な伝達系に組み込まれ、前記モータからの回転力を両回転力伝達系に伝達可能で且つ、第１の回転力伝達系から入力される同方向の回転力を前記モータ出力軸歯車に伝達しない動力伝達／解除手段と、を備えたことを特徴とするテープ印字装置。」と訂正する。 
〔２〕訂正事項ｂ
　特許明細書の発明の詳細な説明中の段落【０００５】を、「【課題を解決するための手段】上記の問題点を解決するために、本発明のテープ印字装置は、テープカセットに収納して装着されたテープ状の印字媒体に印字を行う印字ヘッドを備え、印字媒体に、印字媒体と共にテープカセットに収納して装着されたインクリボンを介して印字するテープ印字装置において、回転駆動源としてのモーターと、印字媒体を移送する送りローラと、インクリボンを移送するリボン巻き取り軸と、モーターの出力軸歯車から送りローラに回転力を伝達する第１の回転力伝達系と、出力軸歯車からリボン巻き取り軸に回転力を伝達する第２の回転力伝達系と、出力軸歯車から第１及び第２の回転力伝達系に共通に回転力を伝達すると共に第１の回転力伝達系から第２の回転力伝達系に回転力を伝達可能な伝達系に組み込まれ、モータからの回転力を両回転力伝達系に伝達可能で且つ、第１の回転力伝達系から入力される同方向の回転力をモータ出力軸歯車に伝達しない動力伝達／解除手段と、を備えたことを特徴とする。」と訂正する。
　　　　　　
【２】訂正の目的の適否、新規事項の有無および拡張・変更の存否
〔１〕訂正事項ａについて
　この訂正は、特許明細書の発明の詳細な説明中の段落【０００７】【０００９】【００１０】の記載及び図３〜８の記載の範囲内において、「テープ状の印字媒体」を「テープカセットに収納して装着されたテープ状の印字媒体」と限定すると共に、「インクリボン」を「印字媒体と共にテープカセットに収納して装着されたインクリボン」と限定し、また、同段落【０００８】【００１６】【００２０】の記載及び図１，７の記載の範囲内において、「出力軸歯車から第１及び第２の回転力伝達系に共通に回転力を伝達する伝達系に組み込まれ」を「出力軸歯車から第１及び第２の回転力伝達系に共通に回転力を伝達すると共に第１の回転力伝達系から第２の回転力伝達系に回転力を伝達可能な伝達系に組み込まれ」と限定したものであり、何れも、特許請求の範囲の減縮を目的とするものであって、新規事項の追加に該当せず、実質上特許請求の範囲を拡張し又は変更するものではない。
〔２〕訂正事項ｂについて
　この訂正は、上記訂正事項ａの訂正に伴い、それとの整合を図るために発明の詳細な説明の段落【０００５】の記載を訂正するものであり、明りょうでない記載の釈明を目的とするものであって、新規事項の追加に該当せず、実質上特許請求の範囲を拡張し又は変更するものではない。
〔３〕訂正の適否についてのまとめ
　以上のとおりであるから、特許明細書に対する本訂正は、特許法等の一部を改正する法律（平成６年法律第１１６号、以下「平成６年改正法」という）附則第６条第１項の規定によりなお従前の例によるとされる、平成６年改正法による改正前の特許法第１２６条第１項ただし書き、及び、第２項の規定に適合するので、認める。
　　　　　
　　　　　
［特許異議申立について］　　　　　
【１】請求項１，２に係る発明
　本件の訂正後の請求項１，２に係る発明（以下、それぞれ「本件発明１，２」といい、両者をまとめて「本件発明」という）は、全文訂正明細書の特許請求の範囲の請求項１，２に記載された以下のとおりのものである。
　「【請求項１】テープカセットに収納して装着されたテープ状の印字媒体に印字を行う印字ヘッドを備え、前記印字媒体に、前記印字媒体と共に前記テープカセットに収納して装着されたインクリボンを介して印字するテープ印字装置において、回転駆動源としてのモーターと、前記印字媒体を移送する送りローラと、前記インクリボンを移送するリボン巻き取り軸と、前記モーターの出力軸歯車から送りローラに回転力を伝達する第１の回転力伝達系と、前記出力軸歯車からリボン巻き取り軸に回転力を伝達する第２の回転力伝達系と、前記出力軸歯車から第１及び第２の回転力伝達系に共通に回転力を伝達すると共に前記第１の回転力伝達系から前記第２の回転力伝達系に回転力を伝達可能な伝達系に組み込まれ、前記モータからの回転力を両回転力伝達系に伝達可能で且つ、第１の回転力伝達系から入力される同方向の回転力を前記モータ出力軸歯車に伝達しない動力伝達／解除手段と、を備えたことを特徴とするテープ印字装置。
　【請求項２】前記動力伝達／解除手段が、遊星レバと遊星歯車とから構成される遊星機構であることを特徴とする請求項１記載のテープ印字装置。」
　　　　　　
【２】特許異議申立の理由の概要
　異議申立人は、証拠方法として甲第１号証〔特開平１−１３５６６４号公報〕、甲第２号証〔特開昭５９−２３２８８０号公報〕、及び、甲第３号証〔実公昭６１−３６３７０号公報〕を提出し、本件発明１は甲第１，２号証に記載された発明に基づいて、本件発明２は甲第１〜３号証に記載された発明に基づいて、それぞれ当業者が容易に発明をすることができたものであるから、本件発明１，２の特許は特許法第２９条第２項の規定に違反してされたものであり取り消されるべきものであると主張する。
　そして、当審における平成１２年６月３０日付け取消理由通知の取消理由は、上記甲第１号証を刊行物１として、上記甲第３号証を刊行物２として引用し、本件発明１，２は、それぞれ、刊行物１，２に記載された発明から当業者が容易に発明をすることができたものであるから、本件発明１，２の特許は、特許法第２９条第２項の規定に違反してされたものであり、取り消されるべきものであるというものである。
　　　　　
【３】甲各号証に記載された発明
〔１〕甲第１号証〔特開平１−１３５６６４号公報〕（取消理由の刊行物１）
　甲第１号証には、透視性を有するテープ状の印字媒体にサーマルヘッドにより印字を行うテープ印字装置に関する発明が記載され、
　構成に関して、「第２図に戻って、印字部１４においては第一のテープたる透明フィルムテープ７０（以下、透明テープという）が長手方向に送られ、この透明テープ７０に印字ヘッドとして機能するサーマルヘッド７２が印字を行う。サーマルヘッド７２は・・・発熱素子列を備え、インクリボン７４および透明テープ７０を介してプラテンローラ７６に押し付けられる。そして、発熱素子列が所定のパターンで発熱させられ、その熱によってインクリボン７４のインクが移送される透明テープ７０に転写されることにより、裏返しパターンの反転印字を行うようになっている。・・・インクリボン７４はリボンカセット７８に収容され、第１図に示す供給スプール８０からサーマルヘッド７２とプラテンローラ７６との間に引き出され、転写後のインクリボン７４は巻取スプール８２に巻き取られる。」（４頁左上欄１〜２０行、第１，２図参照），「第１０図に示すように、ローラ９９にはギヤ１１２が、またローラ１００にはギヤ１１４がそれぞれ一体的かつ同心的に設けられ、両ギヤ１１２および１１４が互いにかみ合わされている。ギヤ１１２は中間ギヤ１１６に常時かみ合わされていて、このギヤ１１６に駆動源たるテープ送りモータ１２３の出力軸に固定のピニオン１２４が常にかみ合っている。したがって、モータ１２３の回転によりローラ９９，１００が圧接状態で互いに逆方向に回転駆動され、第１図において透明テープ７０を左方向へ送るとともに、剥離紙付き両面テープ１０２を透明テープ７０に貼り付ける役割を果たす。・・・ローラ９９，１００およびテープ送りモータ１２３ならびに中間のギヤ列がテープ送り装置を構成するとともに、第二のテープ（１０２）のテープ圧着装置を兼ねている。モータ１２３のピニオン１２４はまた、図示しないギヤ列を介して中間ギヤ１２６にかみ合わされており、このギヤ１２６はリボンカセット用の巻取ギヤ１２８にかみ合っている。巻取ギヤ１２８は前記スプール駆動軸８４と同心的に配置されてこれを駆動するものであり、スプール駆動軸８４にリボンカセット７８の巻取スプール８２が嵌め入れられている。」（４頁右下欄１３行〜５頁左上欄１７行、第１０図参照）と記載されており、これらの記載によれば、甲第１号証には、以下（ａ）〜（ｆ）の構成が記載されているものと認められる。
（ａ）本件発明１の「テープ状の印字媒体に印字を行う印字ヘッドを備え、前記印字媒体にカセットに収納して装着されたインクリボンを介して印字するテープ印字装置」の構成に相当する「透明テープ７０に印字を行うサーマルヘッド７２を備え、前記透明テープ７０にリボンカセット７８に収納して装着されたインクリボン７４を介して印字するテープ印字装置」の構成。
（ｂ）同、「回転駆動源としてのモーター」の構成に相当する「回転駆動源としてのテープ送りモータ１２３」の構成。
（ｃ）同、「印字媒体を移送する送りローラ」の構成に相当する「透明テープ７０を移送するローラ９９，１００」の構成。
（ｄ）同、「インクリボンを移送するリボン巻き取り軸」の構成に相当する「インクリボン７４を移送するスプール駆動軸８４」の構成。
（ｅ）同、「モーターの出力軸歯車から送りローラに回転力を伝達する第１の回転力伝達系」の構成に相当する「テープ送りモータ１２３の出力軸に固定のピニオン１２４からローラ９９，１００に回転力を伝達するギヤ１１２、ギヤ１１４及び中間ギヤ１１６」の構成。
（ｆ）同、「（モーターの）出力軸歯車からリボン巻き取り軸に回転力を伝達する第２の回転力伝達系」の構成に相当する「テープ送りモータ１２３の出力軸に固定のピニオン１２４からスプール駆動軸８４に回転力を伝達する図示しないギヤ列、中間ギヤ１２６、及び、巻取ギヤ１２８」の構成。
〔２〕甲第２号証〔特開昭５９−２３２８８０号公報〕
　甲第２号証には、記録紙にサーマルヘッドを用いて印字を行う記録装置に関する発明が記載され、
　構成に関して、「この装置では、１つのステップモータ１６を備え・・・ステップモータ１６の駆動力は、タイミングベルト３１Ｙ、３１Ｍ、３１Ｃ、電磁クラッチ３２Ｙ、３２Ｍ、３２Ｃおよびタイミングベルト３３Ｙ、３３Ｍ、３３Ｃ等をそれぞれ介して各記録部１１Ｙ、１１Ｍ、１１Ｃのバックロール１４Ｙ、１４Ｍ、１４Ｃに伝達され、更にタイミングベルト３４Ｙ、３４Ｍ、３４Ｃ等をそれぞれ介して各記録部１１Ｙ、１１Ｍ、１１Ｃの巻取ロ一ル１５Ｙ、１５Ｍ、１５Ｃに伝達されるようになっている。電磁クラッチ３２Ｙ、３２Ｍ、３２Ｃは・・・制御部の作用により、各サーマルヘッド１３Ｙ、１３Ｍ、１３Ｃの駆動を制御する信号に応じてその接離を制御されるようになっている。この装置の給紙トレイ（図示せず）から記録紙１７が送り出されると、・・・まずイエロー色の記録部１１Ｙに送り込まれ、サーマルヘッド１３Ｙの手前でインクドナーシート１８Ｙと重ね合わされる。この後ステップモータ１６が所定のタイミングで駆動を開始する。このとき制御部の作用により、イエロー色の電磁クラッチ３２Ｙのみが接続状態となり、他の電磁クラッチ３２Ｍ、３２Ｃは共に切断状態にある。従ってステップモータ１６の駆動により、イエロー色のバックロール１４Ｙおよび巻取ロ一ル１５Ｙがそれぞれ回転し、インクドナーシート１８Ｙの走行が開始される。これにより記録紙１７はインクドナーシート１８Ｙと重ね合わされた状態でサーマルヘッド１３Ｙとバックロール１４Ｙの間を通過する。このときサーマルヘッド１３Ｙが駆動され、イエロー色による記録が行われる。イエロー色の記録が終了すると、制御部の作用により電磁クラッチ３２Ｙが切断状態となり、インクドナーシート１８Ｙの走行が停止される。」（３頁左上欄１８行〜左下欄１２行、第４図参照）と記載され、また、他のマゼンタ色、シアン色の場合も同様の制御が行われること（３頁左下欄１３行〜右下欄１７行、第４図参照）が記載されており、これらの記載によれば、
　１つのステップモータの駆動力を、各色の記録部に対応するタイミングベルト、及び、電磁クラッチを介して、各色の記録部（バックロール及びリボン巻取ロ一ル、以下同様）に伝達するものであり、１つの色の記録が終了すると、その色に対応する電磁クラッチが切断状態となって、その色の記録部にステップモータからの駆動力が伝達せず、且つ、その色の記録部からの作用力もステップモータに伝達しないようにした記録装置が記載されているものと認められる。
〔３〕甲第３号証〔実公昭６１−３６３７０号公報〕（取消理由の刊行物２）
　甲第３号証には、サーマルヘッドを用いた小型プリンタの印字用紙の用紙給送機構に関する技術が記載され、
　構成等に関して、「第２図において、１３はドライブギヤー１２と同軸に、かつ回動自由に設けられたリンクで、一端には前記ドライブギヤー１２と噛み合うアイドルギヤー１１を有し、・・・前記アイドルギヤー１１が、前記ドリブンギヤー３に噛み合うように、時計方向に付勢されている。・・・まず、用紙給送の場合は、図示せぬ駆動用モータを駆動することにより、ドライブギヤー１２−アイドルギヤー１１を介してドリブンギヤー３が回転し、それによって、プラテン２が回転して印字用紙４を給送する・・・。次に、印字の最初又は印字途中で、印字用紙４を手で引っ張って任意の位置に給送したい場合、印字用紙４を給送方向に引っ張ることによって、ドリブンギヤー３が時計方向に回転する。したがって、このドリブンギヤー３と噛み合うアイドルギヤー１１は反時計方向に回転しドライブギヤー１２を回わそうとするが、前述のようにギヤー比の関係で負荷が非常に大きくなるこのため、アイドルギヤー１１はドライブギヤー１２の回りを遊星運動し始める。したがって、アイドルギヤー１１とドリブンギヤー３との間の噛み合いが外れ、ドリブンギヤー３はフリーの状態となる。このため、印字用紙４は、軽く所望の位置まで引き出すことが可能となる。」（２頁３欄２４行〜同頁４欄１６行、第２図参照）と記載されており、この記載によれば、甲第３号証には、以下（ｇ）の構成が記載されているものと認められる。
（ｇ）本件発明２の「遊星レバと遊星歯車とから構成される遊星機構」の「動力伝達／解除手段」に相当する「リンク１３とアイドルギヤー１１とから構成される遊星機構」の「動力伝達／解除手段」の構成。
　　　　　
【４】本件発明と甲各号証に記載された発明との対比・検討
〔１〕本件発明１について
（１）甲第１号証には、上記（ａ）〜（ｆ）の構成が記載されていることからみて、本件発明１と甲第１号証に記載された発明とは、「テープ状の印字媒体に印字を行う印字ヘッドを備え、前記印字媒体に、テープカセットに収納して装着されたインクリボンを介して印字するテープ印字装置において、回転駆動源としてのモーターと、前記印字媒体を移送する送りローラと、前記インクリボンを移送するリボン巻き取り軸と、前記モーターの出力軸歯車から送りローラに回転力を伝達する第１の回転力伝達系と、前記出力軸歯車からリボン巻き取り軸に回転力を伝達する第２の回転力伝達系と、を備えたことを特徴とするテープ印字装置。」の点で一致し、次の点で相違する。
〈相違点〉
　本件発明１が、「印字媒体」を「インクリボン」とともに単一の「テープカセット」に収納して装着すると共に、「出力軸歯車から第１及び第２の回転力伝達系に共通に回転力を伝達すると共に第１の回転力伝達系から第２の回転力伝達系に回転力を伝達可能な伝達系に組み込まれ、モータからの回転力を両回転力伝達系に伝達可能で且つ、第１の回転力伝達系から入力される同方向の回転力をモータ出力軸歯車に伝達しない動力伝達／解除手段」を備え、「印字媒体」と「インクリボン」とが常に関連して「テープカセット」内で搬送されるものにおいて「印字媒体」の手での引き出しによる搬送に伴う「インクリボン」の「テープカセット」内でのたるみを防止するものであるのに対し、
　甲第１号証に記載された発明は、「インクリボン」のみを「リボンカセット」に収納して装着すると共に、「モータ」の回転力を、その出力軸に固定の「出力軸歯車」により直接「第１の回転力伝達系」及び「第２の回転力伝達系」に伝達しており、本件発明１のような「動力伝達／解除手段」を具えておらず、しかも、「印字媒体」の必要以上の引き出しを防止する手段をも具えているものであるから、本件発明のような「インクリボン」のたるみ防止手段について何ら考慮していない点。     
（２）上記相違点に係る構成について判断するにあたり、甲第２，３号証に記載された発明について検討する。
　先ず、「印字媒体」を「インクリボン」とともに単一の「テープカセット」に収納して装着する構成については、甲第２，３号証の何れにも記載されていないが、当該構成自体は、当該技術分野においては従来周知といえるものである（実願昭６３−１３５２７７号（実開平２−５６６６６号）のマイクロフィルム、等参照）。しかし、当該構成は、「出力軸歯車から第１及び第２の回転力伝達系に共通に回転力を伝達すると共に第１の回転力伝達系から第２の回転力伝達系に回転力を伝達可能な伝達系に組み込まれ、モータからの回転力を両回転力伝達系に伝達可能で且つ、第１の回転力伝達系から入力される同方向の回転力をモータ出力軸歯車に伝達しない動力伝達／解除手段」の構成と相俟って「印字媒体」の手での引き出しによる搬送に伴う「インクリボン」の「テープカセット」内でのたるみを防止するものである。
　ところで、甲第２号証に記載された発明は、１つの記録が終了した状態においては、電磁クラッチの作用により、ステップモータからの駆動力がその色の記録部に伝達せず、その記録部からの力もステップモータに伝達しないようにしたものであるが、各記録部において、「インクドナーシート」と「記録紙」を駆動するための「リボン巻取ロ一ル」及び「バックロール」は、両者をつなぐ「タイミングベルト（３４Ｙ、３４Ｍ、３４Ｃ）」を介して一体に駆動されるものであり、また、甲第３号証に記載された発明は、「印字媒体」のみを搬送しインクリボンを搬送するものではなく、そして、本件発明の「動力伝達／解除手段」と機構的に一致する「リンク１３とアイドルギヤー１１とから構成される遊星機構」（上記（ｇ）の構成）を具えてはいるが、それは、「印字媒体」の手での引き出しを軽くするためのものであるから、何れも甲第１号証に記載された発明と同様、本件発明の「インクリボン」のたるみ防止手段について何ら考慮していない。（尚、上記周知技術についても同様である。）
　従って、甲第１号証に記載された発明に甲第２，３号証に記載された発明の技術を適用する蓋然性が乏しいものであるから、本件発明１の甲第１号証に記載された発明との上記相違点に係る構成は、甲第２，３号証に記載された発明から当業者が容易に想到しえたものとは認められない。
（３）以上のように、本件発明１は、上記相違点に係る構成を発明を特定する事項とすることにより、特許明細書に記載されたような、「モータのトルクの影響を受けずに、確実にインクリボンを巻取ることが出来る。また、インクリボンがカートリッジ内に詰まるのを解消できることと、インクリボンは印字ヘッドとリボン巻取コアの間でたるみの無い状態を形成することが出来、透明フィルムを円滑に引き出し得ること、などの効果が得られる。したがって印字ヘッド付近に於ては常にサーマルインクリボンが適正な引き剥し角度を形成した状態で印字が行われることが可能となる為、常に良好な印字品質を得ることができる。」（段落【００２３】【００２４】参照）などの、甲各号証からは期待することができない格別の作用効果を奏するものである。
　従って、本件発明１は、甲第１〜３号証に記載された発明から当業者が容易に発明をすることができたものと云うことができない。
〔２〕本件発明２について
　本件発明２は本件発明１を引用するものであるから、本件発明２も、甲第１〜３号証に記載された発明から当業者が容易に発明をすることができたものと云うことができない。
　　　　　　　
【５】取消理由
　当審の平成１２年６月３０日付けの取消理由通知書中の取消理由については、上記［特許異議申立について］における【３】，【４】で述べた理由と同様の理由により、本件発明１，２が刊行物１（上記甲第１号証）、及び、刊行物２（上記甲第３号証）に記載された発明から当業者が容易に発明をすることができたものと云うことができない。
　　　　　
【６】まとめ
　結局、本件発明１，２は、甲第１〜３号証に記載された発明であるとも、甲第１〜３号証に記載された発明から当業者が容易に発明することができたものであるとも認めることができないから、本件発明１，２の特許が特許法第２９条第２項の規定に違反してされたものであり、取り消されるべきものであるという異議申立人の主張は採用できない。
　　　　　　
　　　　　　
［むすび］
　以上のとおりであるから、特許異議申立の理由および証拠方法によっては、本件発明１，２の特許を取り消すことはできない。
　また、他に本件発明１，２の特許を取り消すべき理由を発見しない。
　したがって、本件発明１，２の特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１２年１１月２日（２０００．１１．２）
【訂正の要旨】
訂正の要旨
〔１〕訂正事項ａ
　特許請求の範囲の請求項１を、「【請求項１】テープカセットに収納して装着されたテープ状の印字媒体に印字を行う印字ヘッドを備え、前記印字媒体に、前記印字媒体と共に前記テープカセットに収納して装着されたインクリボンを介して印字するテープ印字装置において、回転駆動源としてのモーターと、前記印字媒体を移送する送りローラと、前記インクリボンを移送するリボン巻き取り軸と、前記モーターの出力軸歯車から送りローラに回転力を伝達する第１の回転力伝達系と、前記出力軸歯車からリボン巻き取り軸に回転力を伝達する第２の回転力伝達系と、前記出力軸歯車から第１及び第２の回転力伝達系に共通に回転力を伝達すると共に前記第１の回転力伝達系から前記第２の回転力伝達系に回転力を伝達可能な伝達系に組み込まれ、前記モータからの回転力を両回転力伝達系に伝達可能で且つ、第１の回転力伝達系から入力される同方向の回転力を前記モータ出力軸歯車に伝達しない動力伝達／解除手段と、を備えたことを特徴とするテープ印字装置。」と訂正する。
〔２〕訂正事項ｂ
　特許明細書の発明の詳細な説明中の段落【０００５】を、「【課題を解決するための手段】上記の問題点を解決するために、本発明のテープ印字装置は、テープカセットに収納して装着されたテープ状の印字媒体に印字を行う印字ヘッドを備え、印字媒体に、印字媒体と共にテープカセットに収納して装着されたインクリボンを介して印字するテープ印字装置において、回転駆動源としてのモーターと、印字媒体を移送する送りローラと、インクリボンを移送するリボン巻き取り軸と、モーターの出力軸歯車から送りローラに回転力を伝達する第１の回転力伝達系と、出力軸歯車からリボン巻き取り軸に回転力を伝達する第２の回転力伝達系と、出力軸歯車から第１及び第２の回転力伝達系に共通に回転力を伝達すると共に第１の回転力伝達系から第２の回転力伝達系に回転力を伝達可能な伝達系に組み込まれ、モータからの回転力を両回転力伝達系に伝達可能で且つ、第１の回転力伝達系から入力される同方向の回転力をモータ出力軸歯車に伝達しない動力伝達／解除手段と、を備えたことを特徴とする。」と訂正する。
（５４）【発明の名称】
テープ印字装置
（５７）【特許請求の範囲】
　　【請求項１】　
テープカセットに収納して装着された
、前記印字媒体と共に前記テープカセットに収納して装着された
　回転駆動源としてのモーターと、
　前記印字媒体を移送する送りローラと、
　前記インクリボンを移送するリボン巻き取り軸と、
　前記モーターの出力軸歯車から送りローラに回転力を伝達する第１の回転力伝達系と、前記出力軸歯車からリボン巻き取り軸に回転力を伝達する第２の回転力伝達系と、
　前記出力軸歯車から第１及び第２の回転力伝達系に共通に回転力を伝達する
と共に前記第１の回転力伝達系から前記第２の回転力伝達系に回転力を伝達可能な
　を備えたことを特徴とするテープ印字装置。
　　【請求項２】　前記動力伝達／解除手段が、遊星レバと遊星歯車とから構成される遊星機構であることを特徴とする請求項１記載のテープ印字装置。
【発明の詳細な説明】
　　　【０００１】
　　【発明の属する技術分野】
　本発明は印刷装置に係わり、特にテープカセットに収納されたテープに印字することを専用に行なうテープ印字装置に関する。
　　　【０００２】
　　【従来の技術】
　従来、サーマルインクリボン並びにテープ類を収納して成るテープカセットを用いて印字を行なうテープ印字装置に於いて、サーマルインクリボンを巻取る役目をするリボン巻取手段の駆動源と、テープ送り手段の駆動源は同一のモータであり、しかもモータ歯車はリボン巻取手段とテープ送り手段を連結する輪列に噛合した状態で位置決めされていた。
　　　【０００３】
　　【発明が解決しようとする課題】
　しかし、従来のテープ印字装置に於いては、印刷されて排出されてきたテープを使用者が手で引き出した場合、テープの引き出しに伴ってテープ送り手段が回転しようとするが、モータの負荷抵抗が大きい為、テープ送り手段は回転せずテープが滑って引き出される。従ってテープの搬送に伴ってリボン巻取が行われない為、サーマルインクリボンも一緒に搬送されてテープ排出口方面に送り出されてしまう。この状態で印字を行うとサーマルインクリボンはたるんだ状態のまま印字が行われることになり、したがって印字ヘッド付近に於てはサーマルインクリボンが適正な引き剥し角度を形成せずに印字が行われる為良好な印字品質を得ることができないという欠点があった。さらにサーマルインクリボンが多量に搬送された場合にはサーマルインクリボンがテープカセット内でロックしてしまいテープカセットが使用不可能状態になってしまうという欠点があった。
　　　【０００４】
　そこで本発明はこのような問題を解決するもので、その目的とするところは、印刷されて排出されてきたテープを使用者が手で引き出したとしても、サーマルインクリボンが常に印字ヘッドに対して適正角度で位置することができるテープ印字装置を提供するところにある。さらにテープカセット内でのサーマルインクリボンの多量の送り出しを防止しテープカセットが使用不可能状態になる危険性を阻止することが可能なテープ印字装置を提供するところにある。
　　　【０００５】
　　【課題を解決するための手段】
　上記の問題点を解決するために、本発明のテープ印字装置は、
テープカセットに収納して装着された
、印字媒体と共にテープカセットに収納して装着された
と共に第１の回転力伝達系から第２の回転力伝達系に回転力を伝達可能な
　　　【０００６】
　　【作用】
　上記の構造のテープ印字装置は印刷されて排出されてきたテープを使用者が手で引き出したとしても、サーマルインクリボンはたるむこと無く常にリボン巻取コアに巻取られる。
　　　【０００７】
　　【発明の実施の形態】
　以下本発明の実施例を図面に従って説明する。図１は本発明のテープ印字装置のテープカセット無し時の構造を示す上面図であり、図２は図１の左側面図である。図１、図２から判るようにテープカセット装着部のフタ２０は開いている。これより図１、図２を用いて構造の説明を行う。
　　　【０００８】
　５は等間隔に複数の発熱体（図示してない）を有しヘッド支持体６に保持されている印字ヘッド、７はレリーズレバ軸１６との当接部７−１を有しヘッドアーム軸９に軸支されたヘッドアーム、８はヘッドアーム７にヘッド支持体６を軸支させる役目を成すヘッド支持軸、１０はヘッドアーム７を矢印Ｅ方向に付勢する役目をするヘッド押えばねである。１１はテープ送り歯車２８の軸部２８−１に固着したテープ送りローラ、１２は当接部１２−１を有しテープ送り歯車２８を保持しているテープ送りローラホルダ、１３は軸部２８−１を矢印Ｆ方向に付勢する役目を成すテープ送りローラばね、２９はテープ送りローラホルダ１２を軸支しているテープ送りローラホルダ軸である。１４はメインフレーム１に固着したレリーズレバ支持軸１５に軸支され両矢印Ｇ方向に回動可能なレリーズレバ、１６はレリーズレバ１４に固着しているレリーズレバ軸である。１７はサブフレーム２にガイドされ両矢印Ｈ方向に移動可能でかつレリーズレバ１４に当接している解除レバ、２０は解除レバ１７の移動を制御する役目をする解除カム１８を有し解除カム軸２１を支点として回動可能なフタ、１９はメインフレーム１を固定しているプリンタケースである。３はモータ歯車２２を有したパルスモータであるモータ、５１はモータ軸３−１に軸支され遊星歯車軸５２を有した遊星レバ、５３は遊星歯車軸５２に軸支されモータ歯車２２と噛合している遊星歯車、２６は減速歯車２３と伝達歯車Ａ２４を介してモータ歯車２２の回転を受けるリボン巻取歯車、４は摩擦クラッチ構造を有しリボン巻取歯車２６によって駆動されるリボン巻取軸、２７は減速歯車２３と伝達歯車Ｂ２５を介してモータ歯車２２の回転を受けるテープ送り伝え歯車、３０はテープ送り伝え歯車軸、３１はプラテンローラ軸、２−１および２−２はサブフレーム２に設けられたテープカセット位置決め軸である。図１、図２に於て、解除カム１８によって解除レバ１７は矢印Ａ方向に押されている。従って解除カム１８に於いてはヘッド押えばね１０とテープ送りローラばね１３の力によって矢印Ｉ方向への反力を受けており、両矢印Ｊ方向への回転が阻止されている。また遊星歯車５３に於ては減速歯車２３と噛合していない状態である。以上が本発明のテープ印字装置の構造を示す説明である。
　　　【０００９】
　つづいて本発明のテープ印字装置のテープカセットの構造を説明する。図３、図４は本発明のテープ印字装置のテープカセットの構造を示す図で、図３は上面図、図４は図３の上断面である。これより図３、図４を用いてテープカセットの構造について説明を行う。
　　　【００１０】
　３５はプラテンローラ軸３１に軸支される穴３５−１を有したプラテンローラ、３６はテープ送り伝え歯車軸３０に軸支される穴３６−１を有したテープ押えローラ、３４はサーマルインクリボン、３２はリボン巻取軸４に係合する異形穴３２−１を有しサーマルインクリボン３４を巻取る役目をするリボン巻取コア、３３は透明フィルム、３７は剥離材を有した両面粘着テープ、３８はテープカセット位置決め軸２−１と２−２に係合する位置決め穴３８−１および３８−２を有したカセットケース（下）、３９はカセットケース（上）である。透明フィルム３３はテープ押えローラ３６の地点で両面粘着テープ３７と接着するのである。以上が本発明のテープ印字装置のテープカセットの構造の説明である。
　　　【００１１】
　以下にテープカセットをテープ印字装置に装着する動作について説明する。図５、図６は、本発明のテープ印字装置の図１、図２の状態（フタ２０が開いている状態）にテープカセットを装着した様子を示す図で、図５は上面図、図６は図５の左側面図である。カセットケース（下）の穴３８−１および３８−２は、サブフレーム２に設けられたテープカセット位置決め軸２−１および２−２に係合している為、テープカセットは所望の位置に位置決めされている。またプラテンローラ３５はプラテンローラ軸３１に軸支されさらにテープ押えローラ３６はテープ送り伝え歯車軸３０に軸支されている。図５から判るように、テープカセットをテープ印字装置に装着する際、印字ヘッド５ならびにテープ送りローラ１１は障害とならずに装着できる。
　　　【００１２】
　図７、図８は、本発明のテープ印字装置に於いて、図５、図６の状態でフタ２０を閉じた状態を示す図であり、図７は上面図、図８は図７の左側面図である。フタ２０を矢印Ｋ方向に回転させることによりヘッドアーム７およびテープ送りローラホルダ１２の位置決めが解除される為、印字ヘッド５に於いてはヘッド押えばね１０の力によって矢印Ｅ方向に付勢されてプラテンローラ３５に当接した状態で位置決めされる。またテープ送りローラ１１に於いてはテープ送りローラばね１３の力によって矢印Ｆ方向に付勢されてテープ押えローラ３６に当接した状態で位置決めされる。またテープ送り伝え歯車２７とテープ送り歯車２８は噛合状態にある。この状態（図７に示す）が、印字可能な状態なのである。
　　　【００１３】
　図９は本発明の全体構成を示すブロック図であり、６０は上記に説明した本発明のテープ印字装置の機構部であり、５は印字ヘッド５を示す概略図、３はモータ３を示す概略図である。７２はＣＰＵであり、印字ヘッド制御回路７５ならびにモータ制御回路７６に接続されている。７１はインターフェイス、７３はＲＯＭ、７４はＲＡＭである。７７は印字ヘッド制御回路７５への印字ヘッド制御信号、８０はモータ制御信号７６のを基本となるステップ駆動基本信号、７８はモータ３を矢印Ｐ１方向に回転させる為の信号をモータ制御回路７６に送るモータ正回転信号、７９はモータ３を矢印Ｐ２方向に回転させる為の信号をモータ制御回路７６に送るモータ逆回転信号、８１は印字ヘッド５を駆動させる為の印字ヘッド駆動信号、８２はモータ３を駆動させる為のモータ駆動信号である。
　　　【００１４】
　印字データがインターフェイス７１から入力されるとＲＡＭ７４内にいったん取り込まれ、ＣＰＵはこのデータを解読し、データコードに対応した文字フォントのデータをＲＯＭ７３から読み出し印字ヘッド制御回路７５、モータ制御回路７６を介してテープ印字装置機構部を制御して印字を実行する。
　　　【００１５】
　図１０は本発明のテープ印字装置の一連の印字動作を示すタイムチャートであり、以下に図１０を中心に本発明のテープ印字装置の一連の動作について説明する。
　　　【００１６】
　はじめに輪列の動きの説明を行う。（図７の状態に於ける輪列の状態は図１と同様である為輪列の動きは図１を基に説明する。）モータ正回転信号７８をＯＮ状態にするとモータ３は矢印Ｐ１方向に回転する（図１０Ｚ１時点）。モータ３が矢印Ｐ１方向に回転すると遊星レバ５１は矢印Ｑ１方向に回転し遊星歯車５３は減速歯車２３と噛合する（図１０Ｚ２時点）。さらにモータ３の回転を継続すると遊星歯車５３が矢印Ｒ方向への回転を開始する為、減速歯車２３は矢印Ｓ方向に回転を開始し、それによりテープ送り伝え歯車２７は矢印Ｔ方向に回転し、またリボン巻取歯車２６は矢印Ｕ方向に回転する（図１０Ｚ３時点）。
　　　【００１７】
　テープ送り伝え歯車２７の矢印Ｔ方向の回転力を受けたテープ送り歯車２８は矢印Ｗ方向（図７）に回転し、テープ送りローラ１１が矢印Ｗ方向に回転する（図１０Ｚ３時点）。以上がモータ３を矢印Ｐ１方向に回転させた場合の輪列回りの動きである。
　　　【００１８】
　つづいて図７を用いてテープカセット回りの動きについて説明する。テープ送り歯車２８の矢印Ｗ方向への回転によりテープ送りローラ１１が矢印Ｗ方向に回転する為、接着された透明フィルム３３と両面粘着テープ３７は矢印Ｖ方向に送り出される。印字ヘッド５付近に於ては透明フィルム３３が矢印Ｘ方向に送られる為サーマルインクリボン３４も透明フィルム３３とほぼ同等長さ分送り出されサーマルインクリボン３４に於ては印字ヘッド５とリボン巻取コア３２との間にたるみが生じようとする。しかしリボン巻取歯車２６の矢印Ｕ方向の回転によりリボン巻取軸４を介してリボン巻取コア３２が矢印Ｕ方向に回転する為、印字ヘッド５からリボン巻取コア３４の間で生じたサーマルインクリボン３４のたるみは常に巻取られるのである。以上がモータ３を矢印Ｐ１方向に回転させた場合のテープカセット回りの動きについての説明である。
　　　【００１９】
　透明フィルム３３の矢印Ｘ方向への搬送に同調して印字ヘッド制御信号７７を印字ヘッド制御回路７５に与え（図１０Ｚ４〜Ｚ５の間）印字ヘッド５に印字ヘッド駆動信号８１を与えることによって透明フィルム３３に印字が行われ、テープ押えローラ３６とテープ送りローラ１１との間で透明フィルム３３は両面粘着テープ３７と接着して矢印Ｖ方向に排出される。所定の印字（テープ送りを含む）が終了した時点でモータ正回転信号７８をＯＦＦ状態にしてモータ３を停止させ（図１０Ｚ６時点）、つづいてモータ逆回転信号７９をＯＮ状態にする（図１０Ｚ７時点）とモータ３は矢印Ｐ２方向に回転して遊星レバ５１は矢印Ｑ２方向に回転し遊星歯車５３は減速歯車２３との噛合を断つ。（図１の状態、図１０Ｚ８時点）この状態でモータ逆回転信号７９をＯＦＦ状態にしてモータ３の回転を停止する（図１０Ｚ９時点）。テープ送り歯車２８からリボン巻取歯車２６までの輪列に於てモータ３の負荷は除去された状態になっている。
　　　【００２０】
　以上が一連の印字動作についての説明である。印字が終了してモータ３の回転を遮断した状態で使用者が両面粘着テープ３７を接着した透明フィルム３３を矢印Ｖ方向に引き出した場合には、テープ送りローラ１１が矢印Ｗ方向に回転し、その回転は輪列を介してリボン巻取歯車２６に伝わりリボン巻取歯車２６を矢印Ｕ方向に回転させる。リボン巻取歯車２６の矢印Ｕ方向の回転によってリボン巻取軸４を介してリボン巻取コア３２が矢印Ｕ方向に回転する為、印字ヘッド５からリボン巻取コア３２の間で生じたサーマルインクリボン３４のたるみは常に巻取られるのである。従って印字ヘッド５付近においてはサーマルインクリボン３４の適正引き剥し角度θが常に形成されている。
　　　【００２１】
　以上説明したように本発明のテープ印字装置は、印字終了後モータ３を輪列の噛み合いから外すことにより輪列の負荷が軽減される。従って使用者が排出された透明フィルム３３を引き出した場合にはテープ送りローラ１１が回転しその回転は輪列を介してリボン巻取コア３２に伝わる為サーマルインクリボン３４はたるむこと無くリボン巻取コア３２に巻取られる。
　　　【００２２】
　本発明の実施例ではパルスモータを用いたが、ＤＣモータを用いてもその効果は変わらない。
　　　【００２３】
　　【発明の効果】
　以上述べたように本発明は、使用者が排出された透明フィルムを引き出した場合にも、第１の回転力伝達系、第２の回転力伝達系、動力伝達／解除手段などを設けたことにより、モータのトルクの影響を受けずに、確実にインクリボンを巻取ることが出来る。また、インクリボンがカートリッジ内に詰まるのを解消できることと、インクリボンは印字ヘッドとリボン巻取コアの間でたるみの無い状態を形成することが出来、透明フィルムを円滑に引き出し得ること、などの効果が得られる。
　　　【００２４】
　したがって印字ヘッド付近に於ては常にサーマルインクリボンが適正な引き剥し角度を形成した状態で印字が行われることが可能となる為、常に良好な印字品質を得ることができる。
【図面の簡単な説明】
　　【図１】
　本発明の一実施例のテープ印字装置の構造を示す上面図。
　　【図２】
　本発明の一実施例のテープ印字装置の構造を示す図１の左側面図。
　　【図３】
　本発明の一実施例のテープ印字装置用テープカセットの外観を示す上面図。
　　【図４】
　本発明の一実施例のテープ印字装置用テープカセットの内部を示す図３の上断面図。
　　【図５】
　本発明の一実施例のテープ印字装置に於いて図１の状態（フタ２０が開いている状態）にテープカセットを装着した様子を示す上面図。
　　【図６】
　本発明の一実施例のテープ印字装置に於いて図１の状態（フタ２０が開いている状態）にテープカセットを装着した様子を示す図５左側面図。
　　【図７】
　本発明の一実施例のテープ印字装置に於いて図５の状態でフタ２０を閉じた状態を示す上面図。
　　【図８】
　本発明の一実施例のテープ印字装置に於いて図５の状態でフタ２０を閉じた状態を示す図７の左側面図。
　　【図９】
　本発明のテープ印字装置の全体構成を示すブロック図。
　　【図１０】
　本発明のテープ印字装置の一連の印字動作を示すタイムチャートである。
　　【符号の説明】
　　　　３　　モータ
　　　　４　　リボン巻取軸
　　　　５　　印字ヘッド
　　　１１　　テープ送りローラ
　　　２２　　モータ歯車
　　　３２　　リボン巻取コア
　　　３３　　透明フィルム
　　　３４　　サーマルインクリボン
　　　３５　　プラテンローラ
　　　３７　　両面テープ
　　　５１　　遊星レバ
　　　５２　　遊星歯車